【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
外側シースと、
ハンドルに対して固定されている外側シースに連結されたハンドルと、
外側シース内に配置されたステントと、
外側シース内に配置されたステント係合要素と
を含み、
前記ステントが、ステント係合要素によるステント係合の少なくとも二つの期間を経て外側シースの外に遠位に推進可能であり、係合の該期間の各々が、外側シースの機械化された付属する引き込みを伴わずに遠位にステントを推進するよう構成され、かつ係合の該期間の各々が、ステントを遠位に推進しないように構成されたステント係合要素によるステントの非係合期間によって分離される、
デバイス。
【請求項２】
ステントが、遠位端、近位端、ならびに該遠位端および近位端の間に伸びる内腔を有し、かつ前記ステント係合要素が少なくとも部分的にステントの内腔内に位置付けられる、請求項1記載のデバイス。
【請求項３】
ハンドルに連結され、かつ通路を有する要素によってステント係合要素に連結された、ユーザーによる駆動が可能な要素をさらに含む、請求項1〜2のいずれか一項記載のデバイス。
【請求項４】
通路を有する要素がガイドワイヤを受けるように構成されている、請求項3記載のデバイス。
【請求項５】
ユーザーによる駆動が可能な要素が、ハンドルのスロット内で可動である、請求項3記載のデバイス。
【請求項６】
ユーザーによる駆動が可能な要素の遠位前進を制限する、第一の位置を有するストッパーをさらに含む、請求項3〜5記載のデバイス。
【請求項７】
ストッパーが、ユーザーによる駆動が可能な要素の遠位前進を制限しない第二の位置を有し、かつ第一の位置に付勢されている、請求項6記載のデバイス。
【請求項８】
ステントが近位端を有するデバイスであって、ステントの近位端に連結されたステント保持要素をさらに含む、請求項1〜7のいずれか一項記載のデバイス。
【請求項９】
ステントが複数の編まれたワイヤを含む、請求項1〜8のいずれか一項記載のデバイス。
【請求項１０】
ステント係合要素が、（a）係合の上記期間の各々あいだワイヤ交点を係合し、かつ（b）上記の非係合期間の各々のあいだ内側に折り畳まれかつ近位にスライドするように構成されている、請求項9記載のデバイス。
【請求項１１】
ハンドルが近位端を有し、係合の期間の各々を引き起こすデバイスとの、ユーザーの最も近い接触箇所が、ハンドルの近位端にまたはその遠位に位置する、請求項1〜10のいずれか一項記載のデバイス。
【請求項１２】
ステント係合要素が、シャベルまたはスコップのように形作られている、請求項1〜11記載のデバイス。
【請求項１３】
外側シース内に配置されたステントを、動物の一部ではないチューブ状構造体内へ、遠位に推進する段階であって、該外側シースがハンドルに連結されかつハンドルに対して固定されている、段階
を含む方法であって、
ステントを遠位に推進する前記段階が、係合の少なくとも二つの期間のあいだ、外側シースの機械化された付属する引き込みを伴わずに、外側シース内に配置されたステント係合要素によりステントを係合することを含み、係合の該期間の各々が、ステントを遠位に推進しない、ステント係合要素によるステントの非係合期間によって分離されている、ステント前進方法。
【請求項１４】
ステント係合要素の動きが、ユーザーによる駆動が可能な要素の動きに対応する、請求項13記載のステント前進方法。
【請求項１５】
ステントが複数の編まれたワイヤを含み、ステント係合要素によるステントの係合が、係合の期間のあいだワイヤ交点を係合すること、および非係合期間のあいだ内側に折り畳まれかつ近位にスライドすることを含む、請求項13〜14のいずれか一項記載のステント前進方法。
【手続補正２】
【補正対象書類名】明細書
【補正対象項目名】００１５
【補正方法】変更
【補正の内容】
【００１５】
これらの態様およびその他に関連する詳細は、以下で提供される。
[請求項1001]
外側シースと、
遠位端および近位端を有する、外側シース内に配置されたステントと、
少なくとも部分的にステントの内腔内に位置付けられたステント係合要素と、
ステントの近位端に連結されたステント保持要素と
を含み、
ステントを係合し、かつ少なくとも部分的に外側シースの外に、遠位に前進させるためにステント係合要素が往復様式で操作され得;かつ
ステントの近位端が外側シース内に配置されるという条件で、ステント係合要素の近位運動の間、ステント保持要素がステントと接触を保つ
ように構成された、デバイス。
[請求項1002]
ハンドルに対して外側シースが動けないように外側シースに連結されたハンドルと、
通路を有する要素によってステント係合要素にも連結された、ハンドルに連結された、ユーザーによる駆動が可能な要素と
をさらに含む、請求項1001記載のデバイス。
[請求項1003]
ユーザーによる駆動が可能な要素の遠位前進を制限する、第一の位置に付勢されたストッパー
をさらに含む、請求項1002記載のデバイス。
[請求項1004]
ガイドワイヤを受けるように構成された、通路を有する要素内に位置付けられた部分を有する内部要素
をさらに含む、請求項1002記載のデバイス。
[請求項1005]
ユーザーによる駆動が可能な要素が、ハンドルのスロット内で可動である、請求項1002記載のデバイス。
[請求項1006]
ステントが展開長を有し、外側シースが遠位端を有し、かつデバイスが
外側シースに連結され、かつ実質的にステントの展開長に相当する距離だけ外側シースの遠位端から隔たったマーカー
をさらに含む、請求項1001記載のデバイス。
[請求項1007]
ハンドルに連結されたサイドポート
をさらに含む、請求項1002記載のデバイス。
[請求項1008]
イントロデューサーの止血弁と相互作用するように構成された、外側シースの外側に連結され得る要素
をさらに含む、請求項1001記載のデバイス。
[請求項1009]
ハンドルに対して外側シースが動けないように外側シースに連結されたハンドルと、
ハンドルに連結されたYアダプターと
をさらに含み、
ステント保持要素が、遠位部分と、Yアダプターの分岐の外側から、分岐、ハンドル、および外側シースの部分を経由して、ステント保持要素の該遠位部分に伸びるステント保持ラインとを含む、
請求項1001記載のデバイス。
[請求項1010]
ステントが編まれており、かつステント係合要素が、(a)ステントを遠位に推進する場合に、ステントの反対側でワイヤ交点を係合し、かつ(b)ステントの内腔内で内側に折り畳まれかつ近位にスライドするように構成された、請求項1001記載のデバイス。
[請求項1011]
外側シースと、
近位端を有するハンドルに対して外側シースが動けないように外側シースに連結されたハンドルと、
遠位端および近位端を有する、外側シース内に配置されたステントと、
ステントの遠位端と近位端との間でステントを係合するように構成されたステント係合要素と
を含み、
ユーザーが、ステント係合要素によるステントの複数の係合によって外側シースの外に遠位にステントを前進させ得;各々の係合が
ステントの近位端と遠位端との間で生じ、
外側シースの機械化された付属する引き込みを伴わずに遠位にステントを推進し、かつ
ステントを遠位に推進しない期間によって、いかなるその後の係合からも分離され、かつ
各々の係合を引き起こすデバイスとの、ユーザーの最も近い接触箇所が、ハンドルの近位端にまたはその遠位に位置する
ように構成された、デバイス。
[請求項1012]
通路を有する要素によってステント係合要素にも連結された、ハンドルに連結された、ユーザーによる駆動が可能な要素
をさらに含む、請求項1011記載のデバイス。
[請求項1013]
ユーザーによる駆動が可能な要素の遠位前進を制限する、第一の位置に付勢されたストッパー
をさらに含む、請求項1012記載のデバイス。
[請求項1014]
ガイドワイヤを受けるように構成された、通路を有する要素内に位置付けられた部分を有する内部要素
をさらに含む、請求項1012記載のデバイス。
[請求項1015]
ユーザーによる駆動が可能な要素が、ハンドルのスロット内で可動である、請求項1012記載のデバイス。
[請求項1016]
ステントが展開長を有し、外側シースが遠位端を有し、かつデバイスが、
外側シースに連結され、かつ実質的にステントの展開長に相当する距離だけ外側シースの遠位端から隔たったマーカー
をさらに含む、請求項1011記載のデバイス。
[請求項1017]
ハンドルに連結されたサイドポート
をさらに含む、請求項1012記載のデバイス。
[請求項1018]
イントロデューサーの止血弁と相互作用するように構成された、外側シースの外側に連結され得る要素
をさらに含む、請求項1011記載のデバイス。
[請求項1019]
ハンドルに連結されたYアダプターと、
遠位部分と、Yアダプターの分岐の外側から、分岐、ハンドル、および外側シースの部分を経由して、ステント保持要素の該遠位部分に伸びるステント保持ラインとを含む、ステントの近位端に連結されたステント保持要素と
をさらに含む、請求項1011記載のデバイス。
[請求項1020]
ステントの近位端に連結されたステント保持要素
をさらに含む、請求項1011記載のデバイス。
[請求項1021]
ステントが編まれており、かつステント係合要素が、(a)ステントを遠位に推進する場合に、ステントの反対側でワイヤ交点を係合し、かつ(b)ステントの内腔内で内側に折り畳まれかつ近位にスライドするように構成された、請求項1011記載のデバイス。
[請求項1022]
外側シースと、
近位端を有するハンドルに対して外側シースが動けないように外側シースに連結されたハンドルと、
内腔、遠位端、および近位端を有する、外側シース内に配置されたステントと、
少なくとも部分的にステントの内腔内に位置付けられたステント係合要素と
を含み、
ステントを遠位に推進し、かつステントを遠位に推進しない非係合期間によって分離される、ステント係合要素によるステント係合の少なくとも二つの期間を経て、ユーザーが、外側シースの外に遠位にステントを前進させ得;かつ
係合の各々の期間を引き起こすデバイスとの、ユーザーの最も近い接触箇所が、ハンドルの近位端にまたはその遠位に位置する
ように構成された、デバイス。
[請求項1023]
通路を有する要素によってステント係合要素にも連結された、ハンドルに連結された、ユーザーによる駆動が可能な要素
をさらに含む、請求項1022記載のデバイス。
[請求項1024]
ユーザーによる駆動が可能な要素の遠位前進を制限する、第一の位置に付勢されたストッパー
をさらに含む、請求項1023記載のデバイス。
[請求項1025]
ガイドワイヤを受けるように構成された、通路を有する要素内に位置付けられた部分を有する内部要素
をさらに含む、請求項1023記載のデバイス。
[請求項1026]
ユーザーによる駆動が可能な要素が、ハンドルのスロット内で可動である、請求項1023記載のデバイス。
[請求項1027]
ステントが展開長を有し、外側シースが遠位端を有し、かつデバイスが、
外側シースに連結され、かつ実質的にステントの展開長に相当する距離だけ外側シースの遠位端から隔たったマーカー
をさらに含む、請求項1022記載のデバイス。
[請求項1028]
ハンドルに連結されたサイドポート
をさらに含む、請求項1023記載のデバイス。
[請求項1029]
イントロデューサーの止血弁と相互作用するように構成された、外側シースの外側に連結され得る要素
をさらに含む、請求項1022記載のデバイス。
[請求項1030]
ハンドルに連結されたYアダプターと、
遠位部分と、Yアダプターの分岐の外側から、分岐、ハンドル、および外側シースの部分を経由して、ステント保持要素の該遠位部分に伸びるステント保持ラインとを含む、ステントの近位端に連結されたステント保持要素と
をさらに含む、請求項1022記載のデバイス。
[請求項1031]
ステントの近位端に連結されたステント保持要素
をさらに含む、請求項1022記載のデバイス。
[請求項1032]
ステントが編まれており、かつステント係合要素が、(a)ステントを遠位に推進する場合に、ステントの反対側でワイヤ交点を係合し、かつ(b)ステントの内腔内で内側に折り畳まれかつ近位にスライドするように構成された、請求項1022記載のデバイス。
[請求項1033]
外側シースと、
内腔、遠位端、および近位端を有する、外側シース内に配置されたステントと、
ガイドワイヤを受けるように構成された、少なくとも部分的にステントの内腔内に位置付けられた内部要素と、
少なくとも部分的にステントの内腔内に位置付けられ、内部要素が固定されているあいだ遠位および近位に動くことが可能なステント係合要素と
を含み、
ステントを遠位に推進しない非係合期間によって分離される、ステント係合要素によるステント係合の少なくとも二つの期間を経て少なくとも部分的に外側シースの外にステントを遠位に推進するように構成された、
デバイス。
[請求項1034]
ハンドルに対して外側シースが動けないように外側シースに連結されたハンドルと、
通路を有する要素によってステント係合要素にも連結された、ハンドルに連結された、ユーザーによる駆動が可能な要素と
をさらに含む、請求項1033記載のデバイス。
[請求項1035]
ユーザーによる駆動が可能な要素の遠位前進を制限する、第一の位置に付勢されたストッパー
をさらに含む、請求項1034記載のデバイス。
[請求項1036]
ユーザーによる駆動が可能な要素が、ハンドルのスロット内で可動である、請求項1034記載のデバイス。
[請求項1037]
ステントが展開長を有し、外側シースが遠位端を有し、かつデバイスが、
外側シースに連結され、かつ実質的にステントの展開長に相当する距離だけ外側シースの遠位端から隔たったマーカー
をさらに含む、請求項1033記載のデバイス。
[請求項1038]
ハンドルに連結されたサイドポート
をさらに含む、請求項1034記載のデバイス。
[請求項1039]
イントロデューサーの止血弁と相互作用するように構成された、外側シースの外側に連結され得る要素
をさらに含む、請求項1033記載のデバイス。
[請求項1040]
ハンドルに対して外側シースが動けないように外側シースに連結されたハンドルと、
ハンドルに連結されたYアダプターと、
遠位部分と、Yアダプターの分岐の外側から、分岐、ハンドル、および外側シースの部分を経由して、ステント保持要素の該遠位部分に伸びるステント保持ラインとを含む、ステントの近位端に連結されたステント保持要素と
をさらに含む、請求項1033記載のデバイス。
[請求項1041]
ステントの近位端に連結されたステント保持要素
をさらに含む、請求項1033記載のデバイス。
[請求項1042]
ステント係合要素が、ステントの内腔内で内側に折り畳まれかつ近位にスライドするようにも構成された、請求項1033記載のデバイス。
[請求項1043]
外側シースと、
ハンドルに対して外側シースが動けないように外側シースに連結されたハンドルと、
遠位端および近位端を有する、外側シース内に配置されたステントと、
ステントの遠位端と近位端との間でステントを係合するように構成されたステント係合要素と
を含むデバイスであって、
ステントが、ステントを遠位に推進しない非係合期間によって分離される、ステント係合要素によるステント係合の少なくとも二つの期間を経て少なくとも部分的に外側シースの外に推進され得るように構成され、かつデバイスおよびステントが、チューブ状構造体に対する外側シースの軸方向の位置を変化させることによって、ステントがチューブ状構造体内へ送達される時に、ユーザーがステントの軸方向密度を変化させ得るように構成された、
デバイス。
[請求項1044]
通路を有する要素によってステント係合要素にも連結された、ハンドルに連結された、ユーザーによる駆動が可能な要素
をさらに含む、請求項1043記載のデバイス。
[請求項1045]
ユーザーによる駆動が可能な要素の遠位前進を制限する、第一の位置に付勢されたストッパー
をさらに含む、請求項1044記載のデバイス。
[請求項1046]
ガイドワイヤを受けるように構成された、通路を有する要素内に位置付けられた部分を有する内部要素
をさらに含む、請求項1044記載のデバイス。
[請求項1047]
ユーザーによる駆動が可能な要素が、ハンドルのスロット内で可動である、請求項1044記載のデバイス。
[請求項1048]
ステントが展開長を有し、外側シースが遠位端を有し、かつデバイスが、
外側シースに連結され、かつ実質的にステントの展開長に相当する距離だけ外側シースの遠位端から隔たったマーカー
をさらに含む、請求項1043記載のデバイス。
[請求項1049]
ハンドルに連結されたサイドポート
をさらに含む、請求項1044記載のデバイス。
[請求項1050]
イントロデューサーの止血弁と相互作用するように構成された、外側シースの外側に連結され得る要素
をさらに含む、請求項1043記載のデバイス。
[請求項1051]
ハンドルに連結されたYアダプターと、
遠位部分と、Yアダプターの分岐の外側から、分岐、ハンドル、および外側シースの部分を経由して、ステント保持要素の該遠位部分に伸びるステント保持ラインとを含む、ステントの近位端に連結されたステント保持要素と
をさらに含む、請求項1043記載のデバイス。
[請求項1052]
ステントの近位端に連結されたステント保持要素
をさらに含む、請求項1043記載のデバイス。
[請求項1053]
ステントが編まれており、かつステント係合要素が、(a)ステントを遠位に推進する場合に、ステントの反対側でワイヤ交点を係合し、かつ(b)ステントの内腔内で内側に折り畳まれかつ近位にスライドするように構成された、請求項1043記載のデバイス。
[請求項1054]
ステント係合要素とステントとをその遠位端と近位端との間で繰り返し係合することによって、シースの外にかつチューブ状構造体内へステントを遠位に推進する段階であって、該係合の少なくとも二つが非係合期間によって分離される、段階;および
ステントをシースの外に遠位に推進する時に、チューブ状構造体に対するシースの軸方向の位置を変化させることによって、チューブ状構造体内のステントの軸方向密度を変化させる段階
を含む、ステント前進方法。
[請求項1055]
チューブ状構造体が、動物組織である、請求項1054記載のステント前進方法。
[請求項1056]
シース内に位置付けられているステント保持要素とステントとをその近位端で係合する段階
をさらに含む、請求項1055記載のステント前進方法。
[請求項1057]
ステント保持要素がステント保持ラインを含む、ステント前進方法であって、
ステントをシースの外に部分的に推進した後に、ステント保持ラインを動かすことによってステントをシース内へ引き戻す段階
をさらに含む、請求項1056記載のステント前進方法。
[請求項1058]
操作者が、操作者の親指でユーザーによる駆動が可能な要素を動かすことによってステントの推進を遂行する、請求項1057記載のステント前進方法。
[請求項1059]
ステントが編まれており、ステント係合要素が、ステントの複数のワイヤ交点を係合しかつステントを推進する係合のあいだ遠位に動き、かつ非係合期間のあいだ、ステント係合要素がステントの内腔内で近位にスライドする、請求項1058記載のステント前進方法。
[請求項1060]
チューブ状構造体が、動物の部分ではない、請求項1054記載のステント前進方法。
[請求項1061]
シース内に位置付けられているステント保持要素とステントとをその近位端で係合する段階
をさらに含む、請求項1060記載のステント前進方法。
[請求項1062]
ステント保持要素がステント保持ラインを含む、ステント前進方法であって、
ステントをシースの外に部分的に推進した後に、ステント保持ラインを動かすことによってステントをシース内へ引き戻す段階
をさらに含む、請求項1061記載のステント前進方法。
[請求項1063]
操作者が、操作者の親指でユーザーによる駆動が可能な要素を動かすことによってステントの推進を遂行する、請求項1062記載のステント前進方法。
[請求項1064]
ステントが編まれており、ステント係合要素が、ステントの複数のワイヤ交点を係合しかつステントを推進する係合のあいだ遠位に動き、かつ非係合期間のあいだ、ステント係合要素がステントの内腔内で近位にスライドする、請求項1063記載のステント前進方法。
[請求項1065]
ステント係合要素とステントとをその遠位端と近位端との間で繰り返し係合することによって、シースの外にかつチューブ状構造体内へステントを遠位に推進する段階であって、該係合の少なくとも二つが非係合期間によって分離される、段階;および
シース内に位置付けられているステント保持要素とステントとをその近位端で係合する段階
を含む、ステント前進方法。
[請求項1066]
チューブ状構造体が、動物組織である、請求項1065記載のステント前進方法。
[請求項1067]
ステント保持要素がステント保持ラインを含む、ステント前進方法であって、
ステントをシースの外に部分的に推進した後に、ステント保持ラインを動かすことによってステントをシース内へ引き戻す段階
をさらに含む、請求項1066記載のステント前進方法。
[請求項1068]
操作者が、操作者の親指でユーザーによる駆動が可能な要素を動かすことによってステントの推進を遂行する、請求項1067記載のステント前進方法。
[請求項1069]
ステントが編まれており、ステント係合要素が、ステントの複数のワイヤ交点を係合しかつステントを推進する係合のあいだ遠位に動き、かつ非係合期間のあいだ、ステント係合要素がステントの内腔内で近位にスライドする、請求項1068記載のステント前進方法。
[請求項1070]
チューブ状構造体が、動物の部分ではない、請求項1065記載のステント前進方法。
[請求項1071]
ステント保持要素がステント保持ラインを含む、ステント前進方法であって、
ステントをシースの外に部分的に推進した後に、ステント保持ラインを動かすことによってステントをシース内へ引き戻す段階
をさらに含む、請求項1070記載のステント前進方法。
[請求項1072]
操作者が、操作者の親指でユーザーによる駆動が可能な要素を動かすことによってステントの推進を遂行する、請求項1071記載のステント前進方法。
[請求項1073]
ステントが編まれており、ステント係合要素が、ステントの複数のワイヤ交点を係合しかつステントを推進する係合のあいだ遠位に動き、かつ非係合期間のあいだ、ステント係合要素がステントの内腔内で近位にスライドする、請求項1072記載のステント前進方法。
[請求項1074]
人に、
ステント係合要素とステントとをその遠位端と近位端との間で繰り返し係合することによって、シースの外にかつチューブ状構造体内へステントを遠位に推進する段階であって、該係合の少なくとも二つが非係合期間によって分離される、段階;および
ステントをシースの外に遠位に推進する時に、チューブ状構造体に対するシースの軸方向の位置を変化させることによって、チューブ状構造体内のステントの軸方向密度を変化させる段階
を実演することを含む、シースおよび該シースに配置されたステントを含むステント送達デバイスをどのように使用するかに関して人を指導すること
を含むステント前進指導方法。
[請求項1075]
実演において、チューブ状構造が、動物組織である、請求項1074記載のステント前進指導方法。
[請求項1076]
指導が、人に
シース内に位置付けられているステント保持要素とステントとをその近位端で係合する段階
を実演することをさらに含む、請求項1075記載のステント前進指導方法。
[請求項1077]
ステント保持要素がステント保持ラインを含み、かつ指導が、人に
ステントをシースの外に部分的に推進した後に、ステント保持ラインを動かすことによってステントをシース内へ引き戻す段階
を実演することをさらに含む、請求項1076記載のステント前進指導方法。
[請求項1078]
実演において、ステントを推進する段階が、操作者が操作者の親指でユーザーによる駆動が可能な要素を動かすことによって遂行される、請求項1077記載のステント前進指導方法。
[請求項1079]
実演において、ステントを推進する係合が、ステントの複数のワイヤ交点を係合しかつ遠位に動くステント係合要素によって遂行され、かつ非係合期間のあいだ、ステント係合要素がステントの内腔内で近位にスライドする、請求項1078記載のステント前進指導方法。
[請求項1080]
実演において、チューブ状構造体が、動物の部分ではない、請求項1074記載のステント前進指導方法。
[請求項1081]
指導が、人に
シース内に位置付けられているステント保持要素とステントとをその近位端で係合する段階
を実演することをさらに含む、請求項1080記載のステント前進指導方法。
[請求項1082]
ステント保持要素がステント保持ラインを含み、かつ指導が、人に
ステントをシースの外に部分的に推進した後に、ステント保持ラインを動かすことによってステントをシース内へ引き戻す段階
を実演することをさらに含む、請求項1081記載のステント前進指導方法。
[請求項1083]
実演において、ステントを推進する段階が、操作者が操作者の親指でユーザーによる駆動が可能な要素を動かすことによって遂行される、請求項1082記載のステント前進指導方法。
[請求項1084]
実演において、ステントを推進する係合が、ステントの複数のワイヤ交点を係合しかつ遠位に動くステント係合要素によって遂行され、かつ非係合期間のあいだ、ステント係合要素がステントの内腔内で近位にスライドする、請求項1083記載のステント前進指導方法。
[請求項1085]
人に、
ステント係合要素とステントとをその遠位端と近位端との間で繰り返し係合することによって、シースの外にかつチューブ状構造体内へステントを遠位に推進する段階であって、該係合の少なくとも二つが非係合期間によって分離される、段階;および
シース内に位置付けられているステント保持要素とステントとをその近位端で係合する段階
を実演することを含む、シースおよび該シースに配置されたステントを含むステント送達デバイスをどのように使用するかに関して人を指導すること
を含むステント前進指導方法。
[請求項1086]
実演において、チューブ状構造体が、動物組織である、請求項1085記載のステント前進指導方法。
[請求項1087]
ステント保持要素がステント保持ラインを含み、かつ指導が、人に
ステントをシースの外に部分的に推進した後に、ステント保持ラインを動かすことによってステントをシース内へ引き戻す段階
を実演することをさらに含む、請求項1086記載のステント前進指導方法。
[請求項1088]
実演において、ステントを推進する段階が、操作者が操作者の親指でユーザーによる駆動が可能な要素を動かすことによって遂行される、請求項1087記載のステント前進指導方法。
[請求項1089]
実演において、ステントを推進する係合が、ステントの複数のワイヤ交点を係合しかつ遠位に動くステント係合要素によって遂行され、かつ非係合期間のあいだ、ステント係合要素がステントの内腔内で近位にスライドする、請求項1088記載のステント前進指導方法。
[請求項1090]
実演において、チューブ状構造体が、動物の部分ではない、請求項1085記載のステント前進指導方法。
[請求項1091]
ステント保持要素がステント保持ラインを含み、かつ指導が、人に
ステントをシースの外に部分的に推進した後に、ステント保持ラインを動かすことによってステントをシース内へ引き戻す段階
を実演することをさらに含む、請求項1090記載のステント前進指導方法。
[請求項1092]
実演において、ステントを推進する段階が、操作者が操作者の親指でユーザーによる駆動が可能な要素を動かすことによって遂行される、請求項1091記載のステント前進指導方法。
[請求項1093]
実演において、ステントを推進する係合が、ステントの複数のワイヤ交点を係合しかつ遠位に動くステント係合要素によって遂行され、かつ非係合期間のあいだ、ステント係合要素がステントの内腔内で近位にスライドする、請求項1092記載のステント前進指導方法。